(57)【要約】【課題】従来の、浄化槽のマンホール内部に配設して用いる脱臭装置においては、該脱臭装置とマンホール内壁との間に隙間が生じ、該隙間より脱臭されていない臭気が流出するため、充分な脱臭効果が得られなかった。【解決手段】浄化槽のマンホール蓋の下部に、脱臭剤の収納部を備えた蓋体を配設して構成される浄化槽の脱臭装置において、脱臭装置１の該蓋体４の端部に沿って、柔軟性を有する板状部材からなり、また半径方向に切り込みを設けることで該蓋体４の外側に突出する複数の舌状部７ｂ・７ｂ・・・を形成したスペーサ７を配設した。【選択図】　　　　図１
2004074112.tif 000002
【特許請求の範囲】
【請求項１】
浄化槽のマンホール蓋の下部に、脱臭剤の収納部を備えた蓋体を配設して構成される浄化槽の脱臭装置であって、該蓋体の外周に、柔軟性を有し、外方から半径中心方向に複数の切り込みを設けたリング状のスペーサを取り付けたことを特徴とする浄化槽の脱臭装置。
【発明の詳細な説明】
【０００１】
【発明の属する技術分野】
本発明は、浄化槽に用いる脱臭装置の技術に関する。
【０００２】
【従来の技術】
従来から、下水道設備の不充分な地域においては、一般家庭から排出される排水を浄化して放流するために浄化槽が用いられている。浄化槽は屎尿を浄化する単独浄化槽と、生活排水全般を浄化する合併浄化槽に区分でき、いずれも一般に地中に埋設して用いられている。また、該浄化槽には保守点検や水質検査を行うための開口部が設けられており、該開口部はマンホールによって地上と連通され、着脱可能なマンホール蓋で閉じられている。
そして、浄化槽は排水を集積して浄化処理を行うため、該排水によって内部に臭気が生じ、該臭気が前記マンホールから外部へと流出し悪臭公害の原因となるという問題があった。この問題を解決するための技術が従来から公開されている。
例えば、浄化槽の側壁に臭突口を設け、該臭突口を臭突管により外部と連通し、臭気を放出することが従来から行われている。さらに該臭突管に脱臭剤等による脱臭装置を配設する技術が存在する。例えば、実開平２−１２１１８６公報に記載の技術等である。
また、マンホール蓋の下部に脱臭装置を配設し、あるいはマンホール蓋そのものに脱臭装置を一体化して備えるなどして、前記マンホールから流出する臭気を脱臭する技術がある。例えば、特開平１０−２６４９９１公報に記載の技術等である。
【０００３】
【発明が解決しようとする課題】
しかし、臭突管を設置するためには、浄化槽の埋設位置の付近に該臭突管埋設のためのスペースが必要となり、また臭突管の埋設及び浄化槽との接続のための工事も必要となっていた。そして、マンホールとマンホール蓋との間に隙間があれば、該マンホールからの臭気の流出を完全に防ぐことはできなかった。
マンホール蓋の下部に脱臭装置を配設し、あるいはマンホール蓋そのものに脱臭装置を内蔵する技術においては、該脱臭装置の配設のために工事が必要な場合があり、また従来のマンホール蓋と交換する必要がありコストアップとなる。さらに、マンホールと該脱臭装置あるいは該マンホール蓋との間に隙間が生じた場合、該隙間から脱臭されていない臭気が流出してしまうという問題があった。
【０００４】
【課題を解決するための手段】
本発明の解決しようとする課題は以上の如くであり、次にこの課題を解決するための手段を説明する。
【０００５】
即ち、請求項１においては、浄化槽のマンホール蓋の下部に、脱臭剤の収納部を備えた蓋体を配設して構成される浄化槽の脱臭装置であって、該蓋体の外周に、柔軟性を有し、外方から半径中心方向に複数の切り込みを設けたリング状のスペーサを取り付けたものである。
【０００６】
【発明の実施の形態】
次に、発明の実施の形態を説明する。
図１は本発明による脱臭装置の構成を示す斜視図、図２は蓋体の構成を示す上面図、図３は同じく下面図、図４は脱臭装置のマンホールへの取り付けの構成を示す断面図、図５はスペーサの構成を示す斜視図である。
【０００７】
まず、本発明における脱臭装置１の構成を説明する。図１に示す如く、本発明における脱臭装置１は、脱臭剤２（図４）を収納する容器３、及び該容器３を浄化槽のマンホール内に固定するための蓋体４からなる。
該脱臭剤２には、吸着剤及び脱臭触媒を粘結材によって結合させたものを用いる。吸着剤としては活性炭等、脱臭触媒としては酸化鉄、酸化マグネシウム、硫黄等が好適であるが、脱臭効果が得られるものであれば、脱臭剤２の組成は特に限定しない。また、吸着剤及び脱臭触媒に複数種の物質を混合して用いることも可能である。
該脱臭剤２を収納する容器３は、半球状に構成し、その下部が通気性を備え、例えば板体に多数の小孔を開口したり、あるいは、網や布等で構成したりして、開口部を有し、該開口部は用いる脱臭剤２が落下しない大きさとしている。また、該容器３の上端面は開放しているが、通気のための開口部を備える構成とすることもできる。また、該容器３の側面外周には蓋体４の中央に着脱可能に固定するための凸状の縁部３ａ（図４）が形成されている。なお、上記のように構成されていれば該容器３は直方体等としたり、合成樹脂で構成したりできるが、収納する脱臭剤２の交換を容易に行えるように、該容器３は上面に該脱臭剤２の交換作業を行うのに充分な大きさの開口部を備えた構成とすることが望ましい。なお、本実施例においては、金属線で構成した金網を笊状に成形したものを容器３として用いている。
また、容器３の内部に発泡樹脂の砕片等を敷き、該砕片上に脱臭剤２を配置することで、該脱臭剤２への通気を増加させ、脱臭能力を高めることも可能である。
【０００８】
該容器３を固定するための蓋体４は、図２及び図３に示す如く、該容器３の固定部を備える基板５、該基板５をマンホール内で支持するフック６・６・・・、及び該基盤５とマンホール内壁９（図４）との間の隙間を塞ぐスペーサ７により構成される。
基板５はマンホールの形状に合わせた円板状部材により構成し、中央付近に前記容器３を嵌装、固定するための開口部５ａを設けている。該開口部５ａは、その端部に該容器３の縁部３ａ（図４）を接触させ支持できるように、該容器３に合わせた形状に構成している。該基板５に用いる材質は特に限定しないが、ステンレス等の腐食しない材質が好適である。
フック６は略長方形状の板状部材の一方の端部を鉤状に曲げて構成している。用いる該フック６の数は安定して支持できるならば特に限定しない。
また、スペーサ７は蓋体４の外周に取付られ、柔軟性を有するリング状の板状部材で構成され、該脱臭装置１を配設するマンホールの内径よりより若干大きい円形に成形し、中央付近には前記基板５の開口部５ａと略同形状か、もしくはこれより大きい開口部を設けている。そして、該スペーサ７の外周から半径中心方向に、該スペーサ７と該基板５の半径の差に略等しい長さの切り込み７ａ・７ａ・・・を略等間隔に複数設け、該スペーサ７の外側に突出した略長方形状の舌状部７ｂ・７ｂ・・・を複数構成している。なお、切り込み７ａの数は特に限定しない。
そして、基板５の下端面にフック７を、鉤状に成形した側の端部が該基板５の外側上方へ突出するように配置し、該フック７の下部にスペーサ６を、該基板５と該スペーサ７の外周をなす円の中心が略一致するように配置し、該基板５、該フック７及び該スペーサ６にピン８等を貫装することで固定し、蓋体４を構成している。
【０００９】
次に、脱臭装置１の、浄化槽のマンホールへの配設の構成について、図４を用いて説明する。脱臭剤２を収めた容器３を蓋体４の開口部５ａに嵌装し、脱臭装置１を構成する。該脱臭装置１のフック６の鉤状に成形した端部を、マンホール内壁９のマンホール蓋取り付け枠９ａ上に配置することで、該フック６により該マンホール蓋取り付け枠９ａ上から該脱臭装置１を懸架する。そして該脱臭装置１を配置した後に、該マンホール蓋取り付け枠９ａ及び該フック６の上にマンホール蓋１０を装着することで、脱臭装置１のマンホールへの配設が完了する。
この際、図５に示す如く、スペーサ７の舌状部７ｂ・７ｂ・・・がマンホール内壁９と接触して折れ曲がり、該舌状部７ｂ・７ｂ・・・が切り込み７ａ・７ａ・・・による端部付近において互いに重なり合うように接触することで、舌状部７ｂ・７ｂ・・・がそれぞれマンホール内壁９及び隣り合う舌状部７ｂ・７ｂ・・・と隙間を生じさせずに接するので、該マンホール内壁９と脱臭装置１との間に隙間が生じない構成となっている。
【００１０】
以上のように脱臭装置１を構成したことによって、マンホール内壁９と脱臭装置１との間に隙間が生じないので、該脱臭装置１より上方に、脱臭剤２と接触し脱臭されていない臭気が流出することがなくなり、より確実な脱臭効果が得られるものである。また、マンホール内壁９と脱臭装置１の基板５の大きさに若干の誤差があっても、該スペーサ７の舌状部７ｂにより、該内壁９と該基板５の間に生じる隙間を塞ぐことが可能となる。
また、該脱臭装置１の取り付けが容易で、工事等の手間を要しないとともに、該脱臭装置１の配設のために新たにスペースを確保する必要がないという利点がある。脱臭装置１内の脱臭剤２の交換もマンホール蓋２を取り外すのみで容易に行うことができる。さらに、該脱臭装置１はマンホール蓋１０によって隠蔽され、脱臭装置１を取り付けることでマンホール付近の外観が変化することがないため、美観の点においても有利である。さらに、マンホールから他の作業を行う場合には脱臭装置１は上方に持ち上げて容易に取り外すことができるのである。
【００１１】
【発明の効果】
本発明は、以上のように構成したので、以下に示すような効果を奏する。
【００１２】
即ち、請求項１に示す如く、浄化槽のマンホール蓋の下部に、脱臭剤の収納部を備えた蓋体を配設して構成される浄化槽の脱臭装置であって、該蓋体の外周に、柔軟性を有し、外方から半径中心方向に複数の切り込みを設けたリング状のスペーサを取り付けたので、該脱臭装置の配設を容易としながら、該脱臭装置とマンホールとの間に隙間が生じることを防ぎ、脱臭されていない臭気をマンホールの外部へと流出させることなく、より確実に脱臭を行うことが可能となるのである。
【図面の簡単な説明】
【図１】本発明による脱臭装置の構成を示す斜視図。
【図２】蓋体の構成を示す上面図。
【図３】同じく下面図。
【図４】脱臭装置のマンホールへの取り付けの構成を示す断面図。
【図５】スペーサの構成を示す斜視図。
【符号の説明】
１　脱臭装置
４　蓋体
７　スペーサ
７ｂ　舌状部
【図１】
2004074112.tif 000003
【図２】
2004074112.tif 000004
【図３】
2004074112.tif 000005
【図４】
2004074112.tif 000006
【図５】
2004074112.tif 000007